(57)【要約】【課題】姿勢の安定感を維持しながら石突きを中棒に対して案内できるようにする。【解決手段】有蓋筒状の石突き１２が中空の中棒５の上端側から上下移動自在に外挿させられており、石突き１２に固定された天蓋２を上方に付勢するコイルバネ１４が中棒５と石突き１２との間に備えられている傘において、前記石突き１２は外周面に前記コイルバネ１４を上端側で支持するコイルバネ支持体１３が固着されていると共に、このコイルバネ支持体１３の内側を直径方向に貫通するピン１７を備え、前記中棒５にはこのピン１７と遊嵌する一対の案内切込１５、１５が上下方向に形成されており、前記案内切込１５、１５とピン１７とで石突き１２の中棒５に対する回動を上下方向に亘って規制する回動規制手段２２が形成されている。【選択図】図３
0003121439.tif 000002
【実用新案登録請求の範囲】
【請求項１】
有蓋筒状の石突き（１２）が中空の中棒（５）の上端側から上下移動自在に外挿させられており、石突き（１２）に固定された天蓋（２）を上方に付勢するコイルバネ（１４）が中棒（５）と石突き（１２）との間に備えられている傘において、
前記石突き（１２）は外周面に前記コイルバネ（１４）を上端側で支持するコイルバネ支持体（１３）が固着されていると共に、このコイルバネ支持体（１３）の内側を直径方向に貫通するピン（１７）を備え、前記中棒（５）にはこのピン（１７）と遊嵌する一対の案内切込（１５）（１５）が上下方向に形成されており、前記案内切込（１５）（１５）とピン（１７）とで石突き（１２）の中棒（５）に対する回動を上下方向に亘って規制する回動規制手段（２２）が形成されていることを特徴とするパゴダ傘。
【請求項２】
前記案内切込（１５）（１５）は、中棒（５）先端からその軸方向に沿って形成されており、中棒（５）の軸心を通って直径方向に中棒（５）を横切って形成されていることを特徴とする請求項１に記載のパゴダ傘。
【請求項３】
前記石突き（１２）は、コイルバネ（１４）を上端側で支持して付勢力を石突き（１２）に付与すると共に、前記ピン（１７）で外周側に固定されているコイルバネ支持体（１３）を備えていることを特徴とする請求項１又は２に記載のパゴダ傘。
【請求項４】
前記石突き（１２）は、前記天蓋（２）の上端を前記コイルバネ支持体（１３）との間に上下に挟持して固定する天蓋挟持カバー（１６）が上下方向の中途部外周面に設けられていることを特徴とする請求項３に記載のパゴダ傘。
【請求項５】
前記中棒（５）は、傘開閉に応じて上下移動する下ろくろ（１１）が備えられ、前記上ろくろ（４）から中棒（５）先端までの距離（Ｌ１）が上ろくろ（４）と下ろくろ（１１）との間の距離（Ｌ２）に対して示す長さの比が、１：１〜１：１．５とされていることを特徴とする請求項１〜４のいずれか１項に記載のパゴダ傘。
【考案の詳細な説明】
【技術分野】
【０００１】
本考案は、天蓋が傘先に向けて突出する外観を有するパゴダ傘に関するものである。
【背景技術】
【０００２】
この種のパゴダ傘としては、特許文献１に示すように、大型パラソル等に用いられるパゴダ傘が知られている。パゴダ（ＰＡＧＯＤＡ）とは東洋の多重の仏塔、特にミャンマーの仏塔を示す言葉であり、開傘状態で仏塔のように天蓋が先端方向に向けて「ぴん」と張られたように突出する傘をパゴダ傘といい、天蓋が中棒の先端側に（傘先に向けて）引っ張り上げる構造を有している。例えば、特許文献１においては、抗圧バーを傘の開閉に伴って上下移動するように設けて、この抗圧バーの先端側に天蓋を固着して、傘の開閉に伴って天蓋が引っ張り上げられた状態と弛んだ状態とに切り替わるようになっている。
【０００３】
しかし、特許文献１の傘は大型のパラソルであるため、抗圧バーを上下させる複雑な構造を許容できるが、一般に雨傘や日傘として手に持って用いられる傘には複雑な構造は採用し難い。
そこで、既存の手持ちで用いられるパゴタ傘では、例えば図６に示すように、中空の中棒３０の先端側に上ろくろ３１が固着され、この中棒３０の先端に延長棒３２が嵌入固定され、この延長棒３２に石突き３３が外嵌され、前記延長棒３２に対して石突き３３を上方に向かって付勢するコイルバネ３４を設けたパゴダ傘が用いられている。このパゴダ傘は、石突き３３に天蓋３５が固着しており、上方に付勢される石突き３３により天蓋３５が上方に引っ張り上げられてパゴタ状に傘が開くようになっている。なお、同図において、止鋲３６は下ろくろ３８の上方で上ろくろ３１を中棒３０に固定しており、親骨３７は複数設けられ、前記上ろくろ３１の外周部に各一端が等間隔をおいて枢支されている。
【特許文献１】特開平５−１７６６５１号公報
【考案の開示】
【考案が解決しようとする課題】
【０００４】
しかしながら、前記パゴダ傘は石突き３３が延長棒３２に外挿されており、石突き３３の延長棒３２に対する周方向の回動を規制するようになっていない。よって、開傘使用時に強風により天蓋３５に回動する方向に力が及ぶと、石突き３３が中棒３０に対して捻れて、石突き３３がぐらつくことがあった。
また、石突き３３で路面等を突いた場合には、コイルバネ３４が石突き３３に押されて撓むと、石突き３３が回動し易くなって、路面等を突いた場合の安定感が得られないという問題があった。
【０００５】
本考案は、このような問題点を解決し得るパゴダ傘を提供することを目的とする。
本考案は、石突きを中棒に対して回動規制したまま上下移動可能として、石突きが上下に移動しても石突きが中棒に対して回動することなく、その姿勢を安定的に維持できるパゴダ傘を提供すること目的とする。
【課題を解決するための手段】
【０００６】
前記目的を達成するため、本考案は、次の手段を講じた。即ち、
有蓋筒状の石突き１２が中空の中棒５の上端側から上下移動自在に外挿させられており、石突き１２に固定された天蓋２を上方に付勢するコイルバネ１４が中棒５と石突き１２との間に備えられている傘において、
前記石突き１２は外周面に前記コイルバネ１４を上端側で支持するコイルバネ支持体１３が固着されていると共に、このコイルバネ支持体１３の内側を直径方向に貫通するピン１７を備え、前記中棒５にはこのピン１７と遊嵌する一対の案内切込１５、１５が上下方向に形成されており、前記案内切込１５、１５とピン１７とで石突き１２の中棒５に対する回動を上下方向に亘って規制する回動規制手段２２が形成されている。
【０００７】
これによって、石突き１２を中棒５に対して回動規制したまま上下移動可能として、石突き１２が上下に移動しても石突き１２が中棒５に対して回動することなく、その姿勢を安定的に維持できる。
前記案内切込１５、１５は、中棒５先端からその軸方向に沿って形成されており、中棒５の軸心を通って直径方向に中棒５を横切って形成されている。
【０００８】
これによって、中棒５の先端から棒軸方向に沿って案内切込１５を切り込むだけで石突き１２の中棒５に対する回動が規制され、部品点数を減らして製造コストを下げることが可能となる。
前記石突き１２は、コイルバネ１４を上端側で支持して付勢力を石突き１２に付与すると共に、前記ピン１７で外周側に固定されているコイルバネ支持体１３を備えている。
【０００９】
これによって、前記回動規制手段２２を構成するピン１７により前記コイルバネ支持体１３を石突き１２に固定され、コイルバネ支持体１３を石突き１２に固定するための部品点数を減らして製造コストを下げることが可能となる。。
前記石突き１２は、前記天蓋２の上端を前記コイルバネ支持体１３との間に上下に挟持して固定する天蓋挟持カバー１６が上下方向の中途部外周面に設けられている。
【００１０】
これによって、天蓋２を石突き１２に強固に固定すると共に、挟み込まれた天蓋２の端が挟着箇所から飛び出て外観が損なわれるのが防止できる。
前記中棒５は、傘開閉に応じて上下移動する下ろくろ１１が備えられ、前記上ろくろ４から中棒５先端までの距離Ｌ１が上ろくろ４と下ろくろ１１との間の距離Ｌ２に対して示す長さの比が、１：１〜１：１．５とされている。
【考案の効果】
【００１１】
本考案により、石突きを中棒に対して回動させずに上下に移動させられて、石突きの姿勢安定性を維持しながら開閉動作が可能となり、強風を受けた場合や石突きで路面を突いた場合の安定感が向上する。
【考案を実施するための最良の形態】
【００１２】
本考案のパゴダ傘１は、天蓋２が傘先側に突出して優美な外観を有する手持ちのパゴタ傘に関する。
以下、本考案の実施の形態を図面に基づき説明する。
図１及び図２は本考案のパゴダ傘の全体構成の説明図であり、同図に示すように、パゴダ傘１は複数の合成樹脂布２４を貼り合わして略半球状に形成された天蓋２と、放射状に伸びてこの天蓋２を下方で支持する複数の親骨３と、複数の親骨３を放射中心の一点で枢支する上ろくろ４と、上ろくろ４の中心を上下に貫通する中空の中棒５と、中棒５の上端側に設けられて天蓋２を上方に引っ張り上げている石突き部６とを備えている。
【００１３】
前記天蓋２は、撥水性、防水性、遮光性等の性能のうちいずれかを有する、複数の合成樹脂布２４同士を縫着して形成されている。前記天蓋２は、略二等辺三角形状に裁断した合成樹脂布２４の一方の斜辺を隣接する合成樹脂布２４の他方の斜辺に縫い合わせて正多角形状に形成されている。前記天蓋２は、前記合成樹脂布２４の二等辺を三角形の外方に向かって緩やかにカーブさせることで、正多角形状の中央が盛り上がった略半球状に形成されている。前記天蓋２は、正多角形状の各頂角にキャップ状の露先カバー７が取り付けられており、正多角形状の略中央部には挟着用孔が形成されている。なお、前記合成樹脂布２４の材質は絹、綿、ポリエステル、アラミド、ビニールなどが使用できる。
【００１４】
前記親骨３は、傘の中心から放射状に広がる線材であって、合成樹脂布２４の枚数と同じ本数が設けられる。各親骨３は、放射中心側の端部が上ろくろ４に枢支されており、その反対側の端部が前記露先カバー７に固定されている。また、前記親骨３は中途部に中だぼ８が設けられており、この中だぼ８に受骨９の一端が枢支されている。
前記上ろくろ４は、複数の親骨３の放射中心に設けられており、複数の親骨３の放射中心側の端部を枢支している。上ろくろ４は、中心に中棒５が上下に貫通しており、中棒５の外周面に固定鋲２５を用いて固定されている。
【００１５】
前記中棒５は、金属、木材、竹、合成樹脂等で上下に長い中空の棒状に形成されており、下端側に柄部１０が取付られており、上下方向の中途側に下ろくろ１１が上下移動自在に軸承され、この下ろくろ１１に受骨９の他端が枢支されている。
前記下ろくろ１１を中棒５に沿って上方に移動させると受骨９が揺動し、受骨９の揺動を受けて中だぼ８とこの中だぼ８が係止されている親骨３を押し上げる。前記親骨３は、中棒５に固定された上ろくろ４に端部が枢支固定されているので、親骨３は上ろくろ４を中心とする跳ね上がり方向に揺動して、天蓋２が開くことになる。
【００１６】
図３〜図５は本考案に係る石突き部６の要部を示しており、同図に示されるように石突き部６は、中棒５の上端側に形成されて、天蓋２の中央部を上方に引っ張り上げて、パゴダ傘の独特な先端突出形状を創出している。
前記石突き部６は、大別すると、中棒５の上端に形成された案内切込１５と、中棒５に上端側から外挿される石突き１２と、石突き１２の上下方向中途部の外周面に係止されるコイルバネ支持体１３と、前記上ろくろ４に対してコイルバネ支持体１３を上方に付勢するコイルバネ１４と、コイルバネ支持体１３に当接して天蓋２の上端を挟持固定する天蓋挟持カバー１６とを備えている。
【００１７】
前記案内切込１５は、中棒５の長手方向に沿って上下に形成されており、直径方向に一対設けられると共に中棒５の先端面に切り込み口を開設している。
前記石突き１２は、有蓋で上下に長い円筒状に形成されており、中棒５に上端側から外挿されており、上下移動自在とされている。石突き１２は外周面に、コイルバネ支持体１３がピン１７で固着されており、コイルバネ支持体１３の上側に当接して前記天蓋挟持カバー１６が鋲２３で固定されている。前記石突き１２は内周面１２ａが中棒５の外周面５ａと上下に幅を持って面接しており、石突き１２の内周面１２ａと中棒５の外周面５ａとで石突き１２を中棒５に対して上下に案内する第１案内手段２１が構成されている。
【００１８】
前記コイルバネ支持体１３は、石突き１２の外周と同一径に中心が開口した環状に形成されており、この開口部に石突き１２が内挿されている。コイルバネ支持体１３は、ピン１７が外周の一点から石突き１２の略中心を通って反対側の外周に貫通させられており、このピン１７は石突き１２とコイルバネ支持体１３とを連通しつつコイルバネ支持体１３を石突き１２に固定している。コイルバネ支持体１３は下側に上下に設けられたコイルバネ１４の上端を固定するコイルバネ固定部１８を形成しており、このコイルバネ固定部１８を介してコイルバネ１４の付勢力を石突き１２に伝達している。コイルバネ支持体１３は天蓋２を上端側で支持している。
【００１９】
前記コイルバネ１４は、中棒５及び石突き１２の外周を巻回して上下に設けられており、上端側が前記コイルバネ支持体１３のコイルバネ固定部１８に係止されており、下端側が上ろくろ４の上側に設けられたコイルバネ係止部１９に係止されている。前記コイルバネ１４は中棒５に固定された上ろくろ４に下端側が固定されているので、コイルバネ１４は石突き１２に上方向に付勢力を付与している。
【００２０】
前記天蓋挟持カバー１６は、上端先細り状（略円錐台状）の筒体に形成されており、筒体の上端が石突き１２を抱囲し、筒体の下端がコイルバネ支持体１３に当接している。天蓋挟持カバー１６は、筒体の下端がコイルバネ支持体１３と当接した状態で鋲２３により石突き１２に固着されており、コイルバネ支持体１３との間に前記天蓋２の挟着用孔の周囲を挟み込んでいる。前記天蓋挟持カバー１６は、外周面がコイルバネ支持体１３の外周面に連設して石突き１２の外周面に繋がる斜面状の周面を形成している。
【００２１】
前記中棒５は、石突き１２の内側を直径方向に貫通するピン１７と遊嵌する一対の案内切込１５、１５が先端に形成されており、このピン１７が案内切込１５、１５に遊嵌状態に嵌挿されることで石突き１２の中棒５に対する回動を規制する回動規制手段２２が構成されている。
前記回動規制手段２２は、ピン１７を案内切込１５に遊嵌させることで、石突き１２の中棒５に対する周方向の回動を規制している。また、案内切込１５は中棒５の軸方向に沿って直線状に形成されているので、ピン１７を遊嵌させたまま上下に移動可能となっている。よって、回動規制手段２２は、石突き１２の中棒５に対する回動を規制すると共に上下方向への移動をも案内する第２案内手段の機能を兼ね備えている。この回動規制手段２２により、石突き１２が中棒５に対して上下に移動しても、石突き１２が中棒５に対して回動することが上下方向に亘り規制され、その姿勢を安定的に維持できる。
【００２２】
また、前記第１案内手段２１（５ａ、１２ａ）に加えて、石突き１２を中棒５に対して上下に案内する第２案内手段として機能する回動規制手段２２（１５，１７）を備えることで、石突き１２を中棒５に対して軸方向に揺動する（ぐらつく）のを防止でき、パゴダ傘１の開閉に伴って石突き１２の姿勢が不安定になるのを防止できる。
前記石突き１２は、前記コイルバネ１４を上端側で支持するコイルバネ支持体１３がピン１７で外周側に固定されており、前記回動規制手段２２を構成するピン１７を介して前記コイルバネ１４の付勢力を石突き１２に伝達することが可能となる。
【００２３】
前記石突き１２は、前記天蓋２を前記コイルバネ支持体１３との間に挟持する天蓋挟持カバー１６が上下方向の中途部外周面にコイルバネ支持体１３に当接して設けられており、天蓋挟持カバー１６とコイルバネ支持体１３との間に前記天蓋２を挟み込んで、天蓋２を石突き１２に強固に固定すると共に、挟み込まれた天蓋２の端が挟着箇所から飛び出て外観が損なわれるのが防止できる。
【００２４】
前記天蓋挟持カバー１６は、石突き１２の外周面に鋲着されるのが好ましく、その際に鋲２３の先端をピン１７の上方に突出させるのが良い。ピン１７と上下に距離をあけた鋲２３の先端側を石突き１２の内周側に突出させて、この鋲２３の突出部を前記案内切込１５に挿入させることで、石突き１２を中棒５に対して上下に案内することが可能となり、石突き１２を中棒５に対してぐらつかないように案内することができ、傘の開閉に伴って石突きが不安定になるのを防止できる。
【００２５】
前記コイルバネ１４は、石突き１２の外側を巻回しているので、従来のパゴダ傘のように延長棒３２に巻回す場合に比べて、より大径のバネを用いて強い付勢力を石突き１２に付与することができる。これによって、石突き１２の中棒５に対する案内手段や回動規制手段２２を複数設けても、石突き１２を中棒５に対して確実に移動できる。
前記天蓋挟持カバー１６は、外周面がコイルバネ支持体１３の外周面に連設して石突き１２の外周面に繋がる斜面状の周面を形成しているので、パゴダ傘１を開いた場合に天蓋挟持カバー１６から天蓋２にかけて曲線的な繋がりのある外観が得られる。
【００２６】
なお、前記中棒５が天蓋２をパゴダ状の先端突出形状とするには、開傘時における下ろくろ１１と上ろくろ４の長さに対し、上ろくろ４と石突き部６の長さの比が１：１〜１：１．５とするのが好ましい。これによって、中棒５の先端が上ろくろ４より先端側に突出し、上ろくろ４は中棒５の中途側に設けられているので、中棒５に石突き部６から力が作用しても中棒５が屈曲しにくくなる。
【００２７】
本考案は前記実施形態における各部材の形状およびそれぞれの前後・左右・上下の位置関係は、図１〜図５に示すように構成することが最良である。しかし、前記実施形態に限定されるものではなく、部材、構成を種々変形したり、組み合わせを変更したりすることもできる。
なお、前記実施形態における天蓋２は、８枚の合成樹脂布２４で正八角形に形成されているが、合成樹脂布２４の枚数は８枚でなくてもよく、例えば６枚や１０枚であっても良い。
【００２８】
また、前記実施形態における天蓋２を構成する合成樹脂布２４は、略二等辺三角形状であったが、二等辺を有する多角形状としたり、三角形状の底辺にフリルのような装飾布を縫着しても良い。
前記実施形態における石突き１２は円筒形状に形成されていたが、石突き１２の形状は例えば円錐台形状としても良い。
【００２９】
前記実施形態における天蓋挟持カバー１６の石突き１２への固定には鋲２３を用いたが、固定方法は必ずしも鋲着に限定されず、例えば嵌着や接着等の手段を用いても良い。
前記実施形態におけるコイルバネ支持体１３の石突き１２への固定には、ピン１７と案内切込１５とを用いたが、例えばピン１７に代えて突起を石突き１２の内周側１２ａに設けて、この突起に対応した案内切込１５を中棒５の外周面５ａに形成しても良い。
【図面の簡単な説明】
【００３０】
【図１】本考案のパゴダ傘の全体を示す斜視正面図である。
【図２】前記パゴダ傘の全体を示す一部断面正面図である。
【図３】前記パゴダ傘の石突き部を軸方向に切断した断面図である。
【図４】図３におけるＢ−Ｂ線断面図である。
【図５】図３におけるＣ−Ｃ線断面図である。
【図６】従来のパゴダ傘の石突き部を軸方向に切断した断面図である。
【符号の説明】
【００３１】
１    パゴダ傘
２    天蓋
４    上ろくろ
５    中棒
５ａ  外周面（中棒）
６    石突き部
１１  下ろくろ
１２  石突き
１２ａ内周面（石突き）
１３  コイルバネ支持体
１４  コイルバネ
１５  案内切込
１６  天蓋挟持カバー
１７  ピン
２２  回動規制手段
Ｌ１  上ろくろから中棒先端までの距離
Ｌ２  上ろくろと下ろくろとの間の距離
【図１】
0003121439.tif 000003
【図２】
0003121439.tif 000004
【図３】
0003121439.tif 000005
【図４】
0003121439.tif 000006
【図５】
0003121439.tif 000007
【図６】
0003121439.tif 000008